(57)【要約】【課題】建物の出隅コーナー部に配置できる略Ｌ字状の外壁パネルを作製することにおいて、略Ｌ字状の外壁面材を吊り上げて地組架台に取り付けていくことが的確に行える地組架台を提供する。【解決手段】地組架台１は、平面視で略Ｌ字状をなす複数の外壁面材５１を上下に並べて下地材５２（縦胴縁５２ａ）で連結した出隅コーナー用の外壁パネル５を、当該外壁パネルが取り付けられる建物躯体の取付箇所とは異なる場所で組み立てるためのものである。この地組架台１は、上記外壁面材５１を吊り上げる吊り上げ具６を上下に通過させる通過部１５を有する。【選択図】図７
2019011648.tif 000002
【特許請求の範囲】
【請求項１】
平面視で略Ｌ字状をなす複数の外壁面材を上下に並べて下地材で連結した出隅コーナー用の外壁パネルを、当該外壁パネルが取り付けられる建物躯体の取付箇所とは異なる場所で組み立てるための地組架台であって、
上記外壁面材を吊り上げる吊り上げ具を上下に通過させる通過部を有することを特徴とする地組架台。
【請求項２】
請求項１に記載の地組架台において、上記通過部よりも上記外壁面材の隅角側に位置する立上部を有することを特徴とする地組架台。
【請求項３】
請求項１または請求項２に記載の地組架台において、所定の高さまでの下側領域には下側角部が設けられており、上記所定の高さを超える上側領域に上記通過部を有することを特徴とする地組架台。
【請求項４】
請求項３に記載の地組架台において、上記所定の高さを、下側の２枚の外壁面材の高さまでとすることを特徴とする地組架台。
【請求項５】
請求項１〜請求項４のいずれか１項に記載の地組架台において、少なくとも最も下側の外壁面材に対して、その隅角部の直角を出すための定規当て部が設けられていることを特徴とする地組架台。
【発明の詳細な説明】
【技術分野】
【０００１】
この発明は上下に配置した外壁面材を下地材で連結した外壁パネルを建物躯体の外壁取付箇所とは異なる場所で組み立てるのに用いられる地組架台に関する。
【背景技術】
【０００２】
特許文献１には、建物躯体への取付状態で上下方向に並ぶ複数枚の外壁パネルを、上記建物躯体への取付け用の下地となり、上記外壁パネルの横幅方向に並んでそれぞれ上下方向に延びる複数本の胴縁に、上記建物躯体の外壁パネル取付け箇所とは別の場所で組み付けて下地一体型の外壁パネルユニットとする作業に用いる地組架台であって、自立する地組架台本体と、この地組架台本体にそれぞれ取付けられ、上記外壁パネルユニットのユニット化前の上記複数本の各胴縁を、ユニット化後の配置関係でかつ立ち姿勢として、その下端および上部で位置決め状態に保持する複数の下端固定治具および上側固定治具と、を備える、外壁パネルの地組架台が開示されている。
【０００３】
また、特許文献２には、第一金属板と第二金属板の間に芯材を設けたサンドイッチパネルの吊り上げに用いられるパネル吊り具が開示されている。
【先行技術文献】
【特許文献】
【０００４】
【特許文献１】特開２０１６−９４７８６号公報
【特許文献２】特開２０１６−１２１４４２号公報
【発明の概要】
【発明が解決しようとする課題】
【０００５】
上記特許文献１は、平板の外壁パネルに関するものであり、外壁パネルを出隅コーナーに合わせてＬ字状に構成する地組架台を開示するものではない。また、特許文献２は、平板の外壁パネルを吊り上げることに関するものであり、Ｌ字状の外壁面材を吊り上げることについては開示しない。
【０００６】
この発明は、上記の事情に鑑み、建物の出隅コーナー部に配置できる略Ｌ字状の外壁パネルを作製することにおいて、略Ｌ字状の外壁面材を吊り上げて地組架台に取り付けていくことが的確に行える地組架台を提供することを課題とする。
【課題を解決するための手段】
【０００７】
この発明の外壁パネルは、上記の課題を解決するために、平面視で略Ｌ字状をなす複数の外壁面材を上下に並べて下地材で連結した出隅コーナー用の外壁パネルを、当該外壁パネルが取り付けられる建物躯体の取付箇所とは異なる場所で組み立てるための地組架台であって、上記外壁面材を吊り上げる吊り上げ具を上下に通過させる通過部を有することを特徴とする。
【０００８】
上記の構成であれば、上記略Ｌ字状の外壁面材の重心に吊り上げ具を取り付けて当該外壁面材を吊り上げた場合でも、地組架台には上記吊り上げ具を上下に通過させる通過部が存在するので、上記地組架台が上記吊り上げ具に干渉するのを回避できる。これにより、上記略Ｌ字状の外壁面材を上記地組架台に保持されている下地材に的確に固定していくことができる。
【０００９】
上記通過部よりも上記外壁面材の隅角側に位置する立上部を有していてもよい。これによれば、上記立上部を用いて、上記外壁パネルの下地材の保持部等を設けることが可能になる。
【００１０】
また、所定の高さまでの下側領域には下側角部が設けられており、上記高さを超える上側領域に上記通過部を有していてもよい。上記所定の高さを、下側の２枚の外壁面材の高さまでとしてもよい。
【００１１】
少なくとも最も下側の外壁面材に対して、その隅角部の直角を出すための定規当て部が設けられていてもよい。これによれば、外壁パネルの隅角部の直角を出すことが容易になる。
【発明の効果】
【００１２】
本発明であれば、建物の出隅コーナー部に配置できる略Ｌ字状の外壁パネルを作製することにおいて、略Ｌ字状の外壁面材を吊り上げて地組架台に取り付けていくことが的確に行えるという効果を奏する。
【図面の簡単な説明】
【００１３】
【図１】本発明の実施形態の地組架台で作製される外壁パネル例を示した斜視図である。
【図２】同図（Ａ）は図１の外壁パネルにおける外壁面材の上部および下部を示した断面図であり、同図（Ｂ）は図１の上下に並ぶ外壁面材の嵌め込み箇所の断面図である。
【図３】本発明の実施形態の地組架台を示した概略の斜視図である。
【図４】本発明の実施形態の地組架台の外形の概略を仮想線で示すとともに縦胴縁等を実線で示した説明図である。
【図５】本発明の実施形態の地組架台の外形の概略を示した説明図である。
【図６】外壁面材に吊り上げ具を装着した状態を示した説明図である。
【図７】本発明の実施形態を示す平面視の図であって、吊り上げ具で吊り上げた外壁面材を架台に取り付ける様子を示した説明図である。
【図８】本発明の実施形態を示す平面視の図であって、同図（Ａ）は定規当て部を有する地組架台をおよび縦胴縁等を示し、同図（Ｂ）は定規当て部を拡大して示した説明図である。
【発明を実施するための形態】
【００１４】
以下、この発明の実施の形態を添付図面に基づいて説明する。
図１に示すように、外壁パネル５は、複数の横長の外壁面材５１を例えば上下に４枚並べて下地材５２で相互に連結された構造を有する。図１に示す例では、上記下地材５２として縦胴縁５２ａを備えている。上記縦胴縁５２ａは、例えば、リップ溝型鋼等からなる。
【００１５】
また、上記外壁パネル５は、建設中の建物の出隅コーナーに取り付けられるものであり、平面視で略Ｌ字状を有している。上記外壁面材５１は、直交する二面の外壁面を備えており、それぞれの外壁面の後面側には上記縦胴縁５２ａが複数本、この実施形態では３本取り付けられている。
【００１６】
上記外壁面材５１は、例えば、図２（Ａ）および図２（Ｂ）に示すように、不燃断熱材５１ａを鋼板５１ｂ、５１ｃで挟み込んだ金属サンドイッチパネルである。２枚の外壁面材５１を上下に並べた場合、下段に位置する外壁面材５１の上端面に形成された横幅方向に長い２か所の凹部５１ｄに、上段に位置する外壁面材５１の下端面に形成された横幅方向に長い２か所の凸部５１ｅが嵌まり込むことにより、上下の外壁面材５１が互いに面外方向に位置ずれしないように組み合わされる。
【００１７】
図３、図４および図５に示すように、地組架台１を用いることによって、上記複数の外壁面材５１を上下に並べて下地材５２で連結した外壁パネル５を、当該外壁パネル５が取り付けられる建物躯体の外壁取付箇所とは異なる場所で組み立てることができる。なお、これらの図では、地組架台１を簡略化して示している。また、これらの図において、「前側」は、地組架台１を構成する各部材についての前面側とされ、また、上記外壁面材５１等は、その前面側を上記「前側」に向けた状態でセットされるものとする。
【００１８】
上記地組架台１は、上記外壁面材５１の直交する二面の外壁面に対応する二面交差角部を有しており、例えば、各面側において、上記外壁面材５１の側面側に位置する支柱部１１Ａと、上記外壁面材５１の後面側となる位置に配置された奥側支柱部１１Ｂと、上記支柱部１１Ａ、１１Ｂの下側と中側と上側とにそれぞれ掛け渡される３本の梁部１２と、を備える。
【００１９】
また、例えば、上記支柱部１１Ａの下部側は、下側の梁部１２の前面側に固定されており、上記支柱部１１Ａの中央側および上部側は、中側と上側の梁部１２の前面側にそれぞれ固定されている。中側と上側の梁部１２は、上記縦胴縁５２ａの後面側に設けられる。
【００２０】
上段に位置する上記梁部１２および中段に位置する上記梁部１２上には、上記縦胴縁５２ａを保持する下地材保持具２が固定されている。なお、下段に位置する上記梁部１２には、図示していないが、上記縦胴縁５２ａが差し込まれる位置決め凸部或いは上記縦胴縁５２ａの側面が当接される位置決め板部が設けられる。
【００２１】
図３等に示したごとく、上記縦胴縁５２ａを下地材保持具２で保持した後に外壁面材５１を取り付けていくことができる。作業者は、外壁面材５１を取り付けるときには、図６に示すように、上記外壁面材５１に吊り上げ具６をセットする。この吊り上げ具６は、例えば、水平に配置される天秤６１と、この天秤から垂下された２本の垂下棒部６２と、上記天秤６１の中央に設けられた引っ掛け部６３とからなる。上記垂下棒部６２の下端には、例えば、引用文献２で示されている着脱可能なクランプが設けられる。上記クランプは、上記外壁面材５１における各外壁面の上縁の中央箇所に取り付けられる。このような位置にクランプが配置されることで、略Ｌ字状の外壁面材５１の重心上に上記吊り上げ具６をセットすることができる。
【００２２】
そして、上記地組架台１には、上記吊り上げ具６を上下に通過させる通過部１５が形成されている。すなわち、図７にも示すように、上記吊り上げ具６で吊り上げた外壁面材５１を上記地組架台１の上方から降下させるとき、上記外壁面材５１を上記地組架台１の前側に位置させつつ上記吊り上げ具６を上記通過部１５に位置させて通すことができる。
【００２３】
また、上記地組架台１は、上記通過部１５よりも上記外壁パネル５（外壁面材５１）の隅角側に位置する立上部１６を有する。この立上部１６は、この実施形態では、図３等に示したように、角部の奥側支柱部１１Ｂと、角部の梁部１２と、下地材保持具２等を備え、当該立上部１６においても下地材５２の保持が行えるようになっている。
【００２４】
なお、上記通過部１５が形成される側と対角上の位置においても、上記通過部１５や立上部１６を設けてもよく、これによれば、１台の地組架台で複数の外壁パネル５を並行して組み立てることができる。また、地組架台１の他の面において平板状の外壁パネルを作製することも可能である。
【００２５】
また、この実施形態では、上記地組架台１は、所定の高さまでの下側領域に下側角部１７が設けられており、上記所定の高さを超える上側領域に上記通過部１５を有している。上記下側角部１７は、上記中段の梁部１２や下地材保持具２等を備えており、当該下側角部１７において適切に上記下地材５２の保持が行える。なお、仮に、上記立上部１６が無くても、上記下側角部１７において上記下地材５２の保持が可能である。また、上記所定の高さは、例えば、下側の２枚の外壁面材５１の高さまでとしている。上記所定の高さを高くするほど、上記吊り上げ具６の垂下棒部６２の長さが長くなり、吊り動作が不安定になることを防止している。
【００２６】
上記の構成であれば、上記略Ｌ字状の外壁面材５１の重心に吊り上げ具６を取り付けて外壁面材５１を吊り上げた場合でも、地組架台１には上記吊り上げ具６を上下に通過させる通過部１５が存在するので、上記地組架台１が上記吊り上げ具６に干渉するのを回避することができる。これにより、上記略Ｌ字状の外壁面材５１を上記地組架台１に保持されている下地材５２に的確に組み付けていくことができる。
【００２７】
上記通過部１５よりも上記外壁パネル５の隅角側に位置する立上部１６を有していると、上記立上部１６を用いて、上記外壁パネル５の下地材５２の下地材保持具２を設けて下地材５２を保持することが可能になる。
【００２８】
また、他の実施形態として、図８（Ａ）、図８（Ｂ）に示すように、外壁面材５１の隅角部に接触し、この隅角部に直角を出させるための定規当て部８が地組架台１に設けられていてもよい。これによれば、外壁パネル５の隅角部の直角を出すことが容易になる。上記定規当て部８は、最も下側の外壁面材５１に対してのみ設けられていてもよい。上記外壁面材５１は下の外壁面材５１の上端に嵌合されるため、下の外壁面材５１の隅角が直角であれば、これに嵌合する外壁面材５１の隅角も順次に直角になるからである。また、上記定規当て部８は、Ｌアングルを組み合わせて作製されているが、このようなＬアングルを組み合わせる構成に限定されるものではない。
【００２９】
上記外壁面材５１の隅角を直角にすることを優先するのが望ましく、この場合、外壁面材５１の両端の位置調整を省略することとしてもよい。
【００３０】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【符号の説明】
【００３１】
１      ：地組架台
２      ：下地材保持具
５      ：外壁パネル
６      ：吊り上げ具
８      ：定規当て部
１１Ａ  ：支柱部
１１Ｂ  ：奥側支柱部
１２    ：梁部
１５    ：通過部
１６    ：立上部
１７    ：下側角部
５１    ：外壁面材
５１ａ  ：不燃断熱材
５１ｂ  ：鋼板
５１ｃ  ：鋼板
５１ｄ  ：凹部
５１ｅ  ：凸部
５２    ：下地材
５２ａ  ：縦胴縁
６１    ：天秤
６２    ：垂下棒部
６３    ：引っ掛け部
【図１】
2019011648.tif 000003
【図２】
2019011648.tif 000004
【図３】
2019011648.tif 000005
【図４】
2019011648.tif 000006
【図５】
2019011648.tif 000007
【図６】
2019011648.tif 000008
【図７】
2019011648.tif 000009
【図８】
2019011648.tif 000010